(57)【要約】      （修正有）【課題】センタリング機能を有するアタッチメントを簡単にワンタッチでドリル本体部に着脱できるようにする。【解決手段】根元部側に電動ドライバー・ドリル等の電動回転工具85の回転軸に又はその回転軸に装着されたドライバービット80に連結できるドリルであって、センタリング機能を有する。ドリル本体部10の根本側に連結部11を有し、その連結部11の先端側にドリルビット12を固定する。このドリル本体部10の連結部11にセンタリング機能を有するアタッチメント20を着脱自在に固定できる。連結部11の先端側に雄ネジ部16を形成し、アタッチメント20の根元部27側には雄ネジ部16と螺合する雌ネジ部を形成し、両者を相互に螺合し固定する。【選択図】図１
0003141314.tif 000002
【実用新案登録請求の範囲】
【請求項１】
根元部側に電動ドライバー・ドリル等の電動回転工具(85)の回転軸に、又はその回転軸に装着されたドライバービット(80)に連結できる連結部を有し、その連結部の先端にドリルビットを固定したドリル本体部と、このドリル本体部の先端側に着脱自在に固定できるセンタリング機能を有するアタッチメントから成るセンタリング機能付きドリルにおいて、
ドリル本体部(10, 30)の連結部(11)の先端側に雄ネジ部(16)を形成し、前記アタッチメント(20)の根元部側には前記雄ねじ部(16)と螺合する雌ネジ部(26)を形成し、両者を相互に螺合し固定できることを特徴とするセンタリング機能付きドリル。
【請求項２】
根元部側に電動ドライバー・ドリル等の電動回転工具(85)の回転軸に、又はその回転軸に装着されたドライバービット(80)に連結できる連結部を有し、その連結部の先端にドリルビットを固定したドリル本体部と、このドリル本体部の先端側に着脱自在に固定できるセンタリング機能を有するアタッチメントから成るセンタリング機能付きドリルにおいて、
ドリル本体部(35)の連結部(11)の先端部外周面に環状凹部(37)を形成し、前記アタッチメント(36)の根元部に形成された係合孔部(38)内に出没自在のストッパー用球体(39)を配備し、このストッパー用球体(39)を軸芯方向に押圧する環状弾性部材(40)をアタッチメント(36)の根元部外周面に配備することにより、アタッチメント(36)根元部の係合孔部(38)にドリル本体部(35)の連結部(11)の先端部を嵌め込むことにより、前記ストッパー用球体(39)が連結部(11)の環状凹部(37)に係合することにより、アタッチメント(36)が連結部(11)に連結固定されることを特徴とするセンタリング機能付きドリル。
【請求項３】
ドリル本体部(30)の連結部(11)根本側を横断面６角形の６角軸から形成し且つ根本側適宜位置に環状凹部(11c) を設け、電動回転工具の回転軸と直接連結できることを特徴とする請求項１又は２に記載のセンタリング機能付きドリル。
【請求項４】
ドリル本体部(10, 35)の連結部(11)の根本側端面から長手方向に横断面６角形の係合孔部が形成され、この係合孔部内に出没自在のストッパー用球体を配備し、連結部の外周で、長手方向の一方向に付勢され、往復動する摺動筒体(11s) の移動により前記ストッパー用球体が係合孔部内に出没でき、このストッパー用球体が電動回転工具(85)に装着された６角軸ドライバービット(80)の外周に形成されている環状凹部(87)と係合することによって、このドライバービット(80)に連結固定されることを特徴とする請求項１又は２に記載のセンタリング機能付きドリル。
【考案の詳細な説明】
【技術分野】
【０００１】
本考案は、電動ドライバー・ドリル等の電動回転工具の回転軸に直接装着できるドリルや、電動回転工具の回転軸に装着された６角軸ドライバービットの先端部に接続し、装着できるドリルに関するものである。
より詳しくは、本考案は、蝶番や手摺り用ブラケット等を螺子で固定する前に、その下穴を形成する際に、その下穴が蝶番やブラケットの螺子挿通孔の中心位置に穿孔されるようにするため、当該ドリルにセンタリング機能を付加したものに関する。
【背景技術】
【０００２】
従来においては、下記特許文献１に記載のドリル用アタッチメントがあり、また下記特許文献２に記載のビット接続具があった。
図７は、上記ビット接続具の先端部にドリルビットを固定し、そのドリルビットに上記アタッチメントを連結、固定したものを示しており、これを電動回転工具に装着されたドライバービットに固定した使用状態を示す説明図である。
上記従来のドリル用アタッチメント５０は、図７にある通り、ドリル本体８１の先端部に固定されたドリルビット６０の軸部６１に小ネジ６２を６角軸レンチにより締め付けて、取付け固定できるものである。
例えば、手摺り用ブラケット７０等の板厚の厚い被締着物の螺子挿通孔７１を介して下穴を穿設する際に使用するために開発されたものであって、その機能は下孔穿孔用のセンタリング機能を持たせるためのものである。
【０００３】
図７から解る通り、電動回転工具のドライバビット８０の先端に装着したドリル本体８１の先端部のドリルビット６０の軸部６１に、このアタッチメント５０を６角軸レンチによって小ネジ６２を締め付けて固定する。そして、手摺り用ブラケット７０の螺子挿通孔７１に、アタッチメント５０の先端ガイド部５１を適合させる。この状態で電動回転工具を作動させつつ、ドリル先端方向に力を加えることによってコイルバネ５２が収縮して、螺子締着用の下穴が穿孔される。
先端ガイド部５１の存在により下穴は螺子挿通孔７１の略中央位置に設けられるのである。
図７中、８２は締め付け用小ネジを図示しており、これらの小ネジ８２、８２がやはり６角軸レンチによって締付けられて、ドリル本体８１の先端部にドリルビット６０が固定される。
【特許文献１】意匠登録第１２６９１８８号公報
【特許文献２】特開２００３−２６６３２４号公報
【考案の開示】
【考案が解決しようとする課題】
【０００４】
本考案は、上記センタリング機能を有するアタッチメントとドリルを合体したセンタリング機能付きドリルに関するものであるが、上記従来のアタッチメントにおいては、その取り付けに際して、小ネジを締め付けて当該アタッチメントをドリルビットの軸部に固定していた訳である。その締め付けの際には、通常は先端が６角軸で略直角に折り曲げた６角軸レンチ等の工具を用いるのが常であった。
しかしながら、このセンタリング機能を有するアタッチメントは、常時使用されるものでなく、上記のように、蝶番や各種のブラケット等を固定するときに、その下穴を形成する際に用いられるのであって、単なる穴部を形成する際には不要のものであり、逆に、単なる穴部を形成する際には、そのドリルの先端がアタッチメントによって隠れてしまうために、使用し難いことになるのである。
【０００５】
従って、通常の穴開け作業では、このアタッチメントは取り外されるものである。しかも通常の場合、ドリルの使用頻度においてはこのアタッチメントを使用しない場合の方が多いのである。
そこで、このアタッチメントを着脱する必要が生じるのであるが、上記のようにその着脱には６角軸レンチ等の工具を使用しなければならず、簡単にワンタッチで着脱という具合には行かなかったため、多くの大工さんらは、アタッチメント付きドリルとアタッチメントが付いていないドリルとの２種類を用意していたのが現状であった。
【０００６】
更に、上記のような蝶番やブラケットの取り付けに際しても、大型の蝶番やブラケットを固定する場合には、長さの長いネジを使用することから、この種の下穴開け作業においては、アタッチメント付きドリルで下穴を穿設し、その後更にそのアタッチメントを取り外して、より深い下穴を穿設しなけらばならないのであるが、そのためには、アタッチメントを６角軸レンチ等の工具を用いて緩めて取り外さなければならない、という手間が掛かることとなる。
そこで現状では、アタッチメントの着脱が面倒なため、アタッチメント付きドリルとアタッチメントが付いていないドリルとの２つを用意して、これらを付け替えてより長いネジ用の下穴開け作業を行っているのである。
【０００７】
そこで、本考案においては、センタリング機能を有するアタッチメントを簡単にワンタッチでドリル本体に固定し且つ取り外すことができるようにすることをその課題としている。
或は、下穴開け用のドリルに簡単にセンタリング機能を有するアタッチメントを付加できるようにして、２通りの使用目的を実現させることをその課題としている。
上記の通り、従来においてもこのセンタリング機能を有するドリルは存在していたのであるが、そのセンタリング機能を発揮させるためのアタッチメントをドリル本体に着脱するのに小ネジを使用しており、この小ネジを工具を用いて固定し且つ取り外していた。
【０００８】
このような固定方法は、例えば、ドリルビットをそのドリルの根本側の連結部に固定する際にも用いられ、即ち、この電動ドリル等に使用されるドリル等の技術分野では既に慣用化されたものであって、小ネジを工具によって締め付けて固定するという技術は、この分野では慣用化或は固定化されたものとなっていたのである。
本考案においては、この長い間慣用化され、固定化された技術アイディアから離れて、より簡単な他の何か別の固定手段がないか長年苦慮した末に想到したものである。
【課題を解決するための手段】
【０００９】
上記課題を解決するために、本考案の第１のものは、根元部側に電動ドライバー・ドリル等の電動回転工具の回転軸に、又はその回転軸に装着されたドライバービットに連結できる連結部を有し、その連結部の先端にドリルビットを固定したドリル本体部と、このドリル本体部の先端側に着脱自在に固定できるセンタリング機能を有するアタッチメントから成るセンタリング機能付きドリルにおいて、ドリル本体部の連結部の先端側に雄ネジ部を形成し、前記アタッチメントの根元部側には前記雄ねじ部と螺合する雌ネジ部を形成し、両者を相互に螺合し固定できることを特徴とするセンタリング機能付きドリルである。
【００１０】
本考案の第２のものは、根元部側に電動ドライバー・ドリル等の電動回転工具の回転軸に、又はその回転軸に装着されたドライバービットに連結できる連結部を有し、その連結部の先端にドリルビットを固定したドリル本体部と、このドリル本体部の先端側に着脱自在に固定できるセンタリング機能を有するアタッチメントから成るセンタリング機能付きドリルにおいて、ドリル本体部の連結部の先端部外周面に環状凹部を形成し、前記アタッチメントの根元部に形成された係合孔部内に出没自在のストッパー用球体を配備し、このストッパー用球体を軸芯方向に押圧する環状弾性部材をアタッチメントの根元部外周面に配備することにより、アタッチメント根元部の係合孔部にドリル本体部の連結部の先端部を嵌め込むことにより、前記ストッパー用球体が連結部の環状凹部に係合することにより、アタッチメントが連結部に連結固定されることを特徴とするセンタリング機能付きドリルである。
【００１１】
本考案の第３のものは、上記第１又は第２の考案において、ドリル本体部の連結部根本側を横断面６角形の６角軸から形成し且つ根本側適宜位置に環状凹部を設け、電動回転工具の回転軸と直接連結できることを特徴とするセンタリング機能付きドリルである。
【００１２】
本考案の第４のものは、上記第１又は第２の考案において、ドリル本体部の連結部の根本側端面から長手方向に横断面６角形の係合孔部が形成され、この係合孔部内に出没自在のストッパー用球体を配備し、連結部の外周で、長手方向の一方向に付勢され、往復動する摺動筒体の移動により前記ストッパー用球体が係合孔部内に出没でき、このストッパー用球体が電動回転工具に装着された６角軸ドライバービットの外周に形成されている環状凹部と係合することによって、このドライバービットに連結固定されることを特徴とするセンタリング機能付きドリルである。
【考案の効果】
【００１３】
本考案の第１のものにおいては、ドリル本体部の連結部の先端の雄ネジ部とアタッチメントの根元部の雌ネジ部とを簡単に螺合して装着し、且つ取り外すことができる。
また、本考案に係るドリルは、電動ドライバー・ドリル等の電動回転工具に装着されるものであるために、本考案に係るドリル本体部をこの電動回転工具に装着しておくことによって、その工具のスイッチを入れるだけで、ドリル本体部を正回転又は逆回転させることによりたったの１秒程度で、本考案に係るアタッチメントを螺着又は取り外すことができるのである。
従って、従来のようにアタッチメントを着脱するために６角軸レンチ等の工具をわざわざ用いる必要が全く不要となるのである。
【００１４】
本考案の第２のものにおいても、上記第１の考案と同様に、アタッチメントの根元部に形成された係合孔部内に設備された出没自在のストッパー用球体が、ドリル本体部の連結部の先端外周面に形成された環状凹部と相互に係合して、固定されることにより、ワンタッチでアタッチメントがドリル本体部の連結部に係合し、固定されるのである。
【００１５】
本考案の第３のものにおいては、ドリル本体部の連結部が横断面６角形の６角軸から形成され且つ環状凹部を形成しているために、電動回転工具のワンタッチ連結式の回転軸に直接連結することができる。  
【００１６】
本考案の第４のものにおいては、ドリル本体部の連結部の構成により、その連結部の係合孔部が、電動回転工具に予め装着された６角軸ドライバービットにワンタッチで係合され、連結されることとなる。
【考案を実施するための最良の形態】
【００１７】
以下、添付の図面と共に、本考案の実施形態について説明する。
図１は、本考案の第１の実施形態を図示する説明図であり、本考案に係るドリルを分離した状態と、ドライバービットが装着された電動ドライバー・ドリルを図示したものである。
本考案に係るドリルは、ドリル本体部１０とセンタリング機能を有するアタッチメント２０とから成る。
【００１８】
ドリル本体部１０は、その根本側の連結部１１と、先端側のドリルビット１２とから成り、ドリルビット１２の根本側軸部１２ｒが、連結部１１の先端部分の軸芯に形成された挿通孔内に挿入され、小ネジ１４によって固定される。小ネジ１４は、６角軸レンチ等の工具によって締め付けられ、ドリルビット１２を連結部１１に固定する。
そして、本考案の最も特徴的部分が、連結部１１の先端部分の外周に形成された雄ネジ部１６である。雄ネジ部１６の外径は、連結部１１の先端部分１７の外径よりも小さく、従って、雄ネジ部１６の図中右端側には、段部１８が形成されている。
【００１９】
他方、センタリング機能を有するアタッチメント２０は、根元側の根元部２７と、先端側の先端ガイド部２１と、これら両者を連結するコイルスプリング２５とから構成されている。
先端ガイド部２１と根元部２７の両者の軸芯部には、貫通孔２２が設けられており、これらの貫通孔２２に、前記ドリル本体部１０のドリルビット１２が挿通する。
また、図には現れていないが、根元部２７の根本側端面から先端方向に孔部が形成され、その孔部の内周面には雌ネジ部が形成されている（後の図２にて説明する）。
この雌ネジ部が前記ドリル本体部１０の雄ネジ部１６と相互に螺合することになる。
【００２０】
上記雄ネジ部１６と雌ネジ部とが螺合すると、ドリル本体部１０とアタッチメント２０とが連結固定され、連結部１１の先端部分１７と、アタッチメント２０の根元部２７との外径がほぼ略同一となるように形成している。
このように、ドリル本体部１０とアタッチメント２０とが連結固定された状態で、電動ドライバー・ドリル８５の回転軸に装着された６角軸のドライバービット８０の先端部８６にワンタッチで連結され、固定されるのである。
【００２１】
より詳しくは、連結部１１の根本側の外周に摺動筒体１１ｓが内部のコイルスプリングにより前方方向（図中左方向）に常に付勢されて往復動することができ、連結部１１の根本側に形成された係合孔部内に出没するストッパー用鋼球が前記摺動筒体１１ｓの動きに応じてその係合孔部内で出没動作を行うことができるように構成されている。
従って、この摺動筒体１１ｓを根本方向（図中右方向）に移動させて、ストッパー用鋼球が係合孔部内から引っ込むことができる状態として、この係合孔部に電動ドライバー・ドリル８５のドライバービット８０の先端を挿入し、ストッパー用鋼球がドライバービット８０の先端側外周面に形成された環状凹部８７と係合したときに摺動筒体１１ｓが元の位置に復帰することにより、ドリル本体部１０がドライバービット８０に固定され、装着されるのである。この構成は従来のもの（特許文献２）と同様である。
【００２２】
図２は、前記アタッチメント２０の縦断面図である。
このアタッチメント２０は、根元部２７と先端ガイド部２１と、これらを連結するコイルスプリング２５とから成る。先端ガイド部２１と根元部２７の軸芯部には貫通孔２２が形成され、根元部２７の根本側には、貫通孔２２よりも大きい内径を有する孔部２３が形成され、この孔部２３の内周面に雌ネジ部２６が形成されている。
この雌ネジ部２６に、前記ドリル本体部１０の雄ネジ部１６が螺合するのである。
【００２３】
このように雄ネジ部１６と雌ネジ部２６が螺合して、ドリル本体部１０とアタッチメント２０とが連結し、固定された状態で、本考案に係るドリルが電動回転工具のドライバービットに装着され、使用状態を図示した説明図が図３である。
各種のブラケット７０の螺子挿通孔７１に、本考案に係るアタッチメント２０の先端ガイド部２１を当接させ、先端方向に押圧してコイルスプリング２５を収縮させると、ドリル本体部１０の先端側のドライバービット１２の先端が現れ、螺子挿通孔７１の中央位置に下穴を穿孔することができるのである。
【００２４】
図４は、本考案に係るドリルの第２の実施形態を図示する分解説明図である。
この第２の実施形態は、上記第１の実施形態とドリル本体部３０の連結部１１の根元部側の形状が異なっている。
このドリル本体部３０の連結部１１の根元部１１ｒは、その横断面形状が６角形形状を有しており、電動ドライバー・ドリル等の回転軸に直接接続させることができる。
電動回転工具の回転軸の接続構造も種々のものがあるが、チャック式のほか、ワンタッチ式に連結できるタイプのものを考慮して、その根元部１１ｒの外周面に環状凹部１１ｃを設けている。
その他の構成は、上記第１の実施形態と同じである。
ドリル本体部３０は、その連結部１１の先端側に形成された雄ネジ部１６が、アタッチメント２０の根元部２７に形成された雌ネジ部と螺合して連結固定される。
【００２５】
図５は、本考案の第３の実施形態を図示する分解説明図である。
図６は、本考案の第３の実施形態に係るアタッチメントの縦断面図である。
この第３の実施形態においては、ドリル本体部３５とアタッチメント３６は、螺子による結合ではなく、ストッパー用球体（鋼球）と環状凹部との係合による結合である。
ドリル本体部３５は、上記第１の実施形態と連結部１１の先端部側の構成が異なる。
即ち、その先端部には雄ネジ部の存在はなく、その先端部には細径部１１ｈが形成され、この細径部１１ｈの外周面に環状凹部３７が形成されている。
【００２６】
他方、アタッチメント３６は、根本部２８と先端ガイド部２１と、これら両者を連結するコイルスプリング２５からなる構成は、上記実施形態と同様であるが、その根元部２８の構成が異なる。
即ち、根元部２８には、図６から明瞭に解る通り、その軸芯部に係合孔部３８が形成されており、この係合孔部３８内には、上記ドリル本体部３５の連結部１１の細径部１１ｈが嵌合することができる。
【００２７】
また、根元部２８の係合孔部３８の壁面には、出没自在のストッパー用球体（鋼球）３９が設備され、このストッパー用球体３９の外側を押圧するように環状の弾性部材４０が根元部２８の外周に配置されている。
従って、このストッパー用球体３９は、弾性部材４０の弾性力により、軸芯から半径方向外側に力が加わると、外側に移行し、前記力が除かれると内側方向に移行することができるのである。
【００２８】
このような構成により、アタッチメント３６の係合孔部３８にドリル本体部３５の細径部１１ｈを挿入するように嵌め込むと、ストッパー用球体３９は、半径方向外側に移行して前記挿入が行われ、環状凹部３７にストッパー用球体３９が係合すると、アタッチメント３６がドリル本体部３５に固定されることとなるのである。
このようにして、アタッチメント３６をドリル本体部３５に連結し、ワンタッチで連結固定することができるのである。
尚、この第３の実施形態においても、そのドリル本体部３５の連結部１１を、上記第２の実施形態のように、横断面６角形形状に形成して実施することも当然可能である。
【００２９】
以上、実施形態について説明したが、本考案においては以下の通り種々設計変更が可能である。
ドリル本体部及びアタッチメントのそれぞれの各種寸法等は、適宜必要に応じて設計することができる。
雄ネジ部及び雌ネジ部を設ける長手方向長さも適宜必要に応じて設定することができる。
ドリル本体部の連結部の根元部の構成も、上記実施形態のほか、電動回転工具の回転軸に固定できる形式のものであれば、どのようなものをも採用することができる。
【００３０】
連結部の先端側に固定するドリルビットの刃の外径も適宜必要に応じて選択して、変更することができる。
上記第３の実施形態においては、ドリル本体部とアタッチメントをワンタッチで連結できるように構成し、連結部先端の細径部は円柱形状に形成しているが、この外径を６角柱形状にすることもできる。
その場合には、アタッチメントの根元部に形成する係合孔部も横断面６角形形状にする必要がある。
また、上記第３の実施形態において、ストッパー用球体は１個のみ使用したが、これを２個以上使用することもできる。
【００３１】
上記実施形態のそれぞれにおいて、第１及び第２の実施形態においては、連結部の先端側の雄ネジ部１６の根本側には段部１８が形成され、第３の実施形態においても、連結部先端側の細径部の根本側にも段部が形成されているが、これら段部を設けることは任意であり、これを設けずに実施することもできる。
即ち、この段部を形成しておくことにより、アタッチメントの根元部の外径と連結部の先端側の外径を同一に形成して、デザイン上スマートのものとしているが、連結部にアタッチメントを連結した際に、その連結境界部に段部が現れても機能上何ら問題は生じず、そのような形態で実施することも当然可能なのである。
【００３２】
最後に、本考案においては、アタッチメントがドリル本体部に固定されると、そのアタッチメントの根元部がドリル本体部の回転に伴って、アタッチメント自体も回転することとなるが、根元部と先端ガイド部とを連結するコイルスプリングは、これら根元部と先端ガイド部とルーズに連結されているために、根元部が回転しても、先端ガイド部は回転しないように構成している。つまり、根元部はドリル本体部と共回りするが、先端ガイド部は、ドリル本体部と共回りしないために、上記第１の実施形態のように、雄ネジ部と雌ネジ部との螺合による結合においても何ら問題が生じないのである。
以上、本考案は、簡易な構成により、何らの締め付け工具を使用せずに、ドリル本体部にセンタリング機能を有するアタッチメントを簡単に連結固定することができるセンタリング機能付きのドリルを提供することができた。
【図面の簡単な説明】
【００３３】
【図１】本考案の第１の実施形態を図示する分解説明図である。
【図２】本考案の第１の実施形態に係るアタッチメントの縦断面図である。
【図３】本考案の第１の実施形態の使用状態を図示する説明図である。
【図４】本考案の第２の実施形態を図示する分解説明図である。
【図５】本考案の第３の実施形態を図示する分解説明図である。
【図６】本考案の第３の実施形態に係るアタッチメントの縦断面図である。
【図７】従来のセンタリング機能付きドリルの使用状態の説明図である。
【符号の説明】
【００３４】
１０、３０、３５  ドリル本体部
１１  連結部
１１ｒ  根元部
１１ｓ  摺動筒体
１１ｈ  細径部
１２  ドリルビット
１６  雄ネジ部      
２０、３６  アタッチメント
２１  先端ガイド部
２２  貫通孔
２６  雌ネジ部
２５  コイルスプリング
２７、２８  根元部
３７  環状凹部
３８  係合孔部
３９  ストッパー用球体
４０  弾性部材    
【図１】
0003141314.tif 000003
【図２】
0003141314.tif 000004
【図３】
0003141314.tif 000005
【図４】
0003141314.tif 000006
【図５】
0003141314.tif 000007
【図６】
0003141314.tif 000008
【図７】
0003141314.tif 000009